Podtech/llm-jp-corpus-v4-ja_patent huggingface dataset:
(57)【要約】      （修正有）【課題】個々の重要設備、長い線路の交通機関や架空送電線、広い空港等への落雷およびその誘導雷による通信および電子機器への被害を完全に防ぎ、更にこれを軽量、小型化してゴルフプレイヤーや登山家等が携帯出来る様にして直撃雷を避ける。【解決手段】雷雲底のイオン２と逆極性のイオン６が大地に誘導され、浅く地中に埋められた外部導体のシースが無い絶縁電線５の導体に大地から雷雲底と同極性のイオンが誘導され、これを重要設備上に張りめぐらした電荷放散器等に繋ぎ、雷雲底と同極性のイオンを放出させる。いわば重要設備を雷雲底のイオン内に取り込んだ形にして落雷を防ぐ。【選択図】図１
2012146615.tif 000002
【特許請求の範囲】
【請求項１】
雷雲の底に生じるイオンの極性と逆の極性のイオンが大地に誘導される。外部導体シースの無い絶縁電線や絶縁されたシート状等の導体を地中に張り巡らすとその導体には大地から誘導された雷雲底と同極性のイオンが発生する。電線を埋設した例では片端を絶縁シールしたその導体の他端を，または両端を一括絶縁し、そこから諸重要設備上に張り廻ぐらした並行細線架線等や多重円形リング形状等の各種の電荷放散器等に繋ぎ、雷雲底と同極性のイオンをそれらの直上に放出させる。いわば雷雲底のイオン内に諸重要設備を取り込んだ形にし、それらの間に電位差を無くして落雷を完全に防ぐ事が出来る。この方式では雷雲底のイオンの正負は問題としない。図１参照
【請求項２】
雷雲底のイオンの極性はマイナスの場合が多い。雷雲が近ずいた時にマイナスイオン発生方式を用いマイナス高電圧を電荷放散器等に繋ぎ、その対極には平板や大口径の金属導体を設けて接地して、または電荷放散器のマイナス電極にパルス性高電圧を印加し電子を方出させ、その結果雷雲底と異極性でなく同極性のマナスイオンを大量に発生させる。これも「請求項１」と同様に重要設備を同一イオン内に取り込んでそれらへの落雷と誘導雷による損害から完全に逃れる事が出来る。これらの一実施例について述べると接地した二本等の架空地線の中間に上述の多数の針状細線等の電荷放散器を碍子等で絶縁した数本の平行の子架空線に添架し、それらに例えば上述と同様にマイナスの高電圧を印加しコロナ放電させて雷雲底イオンと同極性の大量のマイナスイオンを発生させて送電線を覆いそこへの直撃雷を防ぐ。この方法は特に広い空港、長い線路の交通機関等に適用する事が出来る。また稀に雷雲が崩れるかその他の原因等で雷雲底のイオンが通常と異なりプラスイオンとなる場合もあるので近ずく雷雲底の極性を調べ、プラスイオンを発生させるか「請求項１」の方法でプラスイオンを供給する。この方式を小型軽量化して携帯出来る様にして頭部に電荷放散器付き等の帽子を被り、スパイクシューズ等で接地を取ればゴルファーや登山家等への落雷も防ぐ事が出来る。
図２参照
【発明の詳細な説明】
【発明の詳細な説明】
【産業上の利用分野】
【０００１】諸重要設備への落雷、誘導雷の防止。
【背景技術】
【０００２】従来は重要な設備への落雷の被害を避雷針やアレスター等によって避けていたが完全ではなかった。
【発明が解決しようとする課題】
【０００３】本発明で個々の重要設備、長い線路の交通機関や架空送電線、広い空港等への落雷およびその誘導雷による通信および電子機器への被害を完全に防ぎ更にこれを軽量、小型化してゴルフプレイヤーや登山家等が携帯出来る様にして直撃雷を避ける。
【課題を解決するための手段】
【０００４】通常雷雲中では上昇、下降時の氷の粒同士がぶつかり合い上層部の氷片にはプラスイオン、下層部の氷片にはマイナスイオンが帯電する事が多い。そして雷雲の底に生じるイオンの極性と逆の極性のイオンが大地に誘導される。外部導体シースの無い絶縁電線や絶縁されたシート状等の導体を地中に浅く張り巡らすとその導体には大地から誘導された雷雲底と同極性のイオンが発生し、電線を埋設する例について述べると片端または両端を一括絶縁したその導体を諸重要設備上に張り廻ぐらした並行細線架線等や多重円形リング形状等の各種の電荷放散器等に繋ぎ、雷雲底と同極性のイオンをそれらの直上に放出させる。いわば雷雲底のイオン内に諸重要設備を取り込んだ形にし、それらの間に電位差を無くして落雷を完全に防ぐ事が出来る。この方式では雷雲底のイオンの正負は問題としない。図１参照
この他の方法として通常雷雲底のイオンの極性はマイナスの場合が多い。その時にはコロナ放電方式，電子放射方式等のマイナスイオン発生方式を用い、前者の方式ではマイナス高電圧を上述の電荷放散器等に繋ぎ、その対極には平板や大口径の金属導体を設けて接地する。後者の方式では電荷放散器のマイナス電極にパルス性高電圧を印加し電子を方出させ、その結果雷雲底と異極性でなく同極性のマナスイオンを大量に発生させる。これも上述と同様に重要設備を同一イオン内に取り込んでそれらへの落雷と誘導雷による損害から完全に逃れる事が出来る。これらの実施例としては接地した二本の架空地線の中間に上述の多数の針状細線等の電荷放散器を碍子等で絶縁した数本の平行の小架空線に添架し、それらに上述と同様にマイナスの高電圧を印加しコロナ放電させて雷雲底イオンと同極性の大量のマイナスイオンを発生させて送電線を覆いそこへの直撃雷を防ぐ。この方法は特に広い空港、長い線路の交通機関等に適用する事が出来る。また稀に雷雲が崩れたりまたは他の原因等で雷雲底のイオンが通常と異なりプラスイオンとなる場合もあるので近ずく雷雲底の極性を調べ、プラスイオンを発生させるか「請求項１」の方法でプラスイオンを供給する。この方式を小型軽量化して携帯出来る様にして頭部に電荷放散器付き等の帽子を被り、スパイクシューズ等で接地を取ればゴルファーや登山家等への落雷も防ぐ事が出来る。図２参照
【作用】
【０００５】大地中に絶縁電線を張り巡らし、その片端を絶縁し他端を重要設備上の電荷放散器に導き雷雲低のイオンとこの同極性のイオンで設備を包み込み、そこへの落雷を完全に防ぐ。
【効果】
【０００６】この発明により従来しばしば架空送電線への落雷による大停電や交通の遮断や通信、電子機器の破壊等の損害を避ける事が出来る。
【図面の簡単な説明】
【０００７】
【図１】図１は雷雲底のイオンと同極性のイオンで重要施設を包み込み防雷する為に地中に絶縁電線を埋設しそこへの誘導電荷を活用する構造の側面図例を示す。（図１は雷雲底のイオンがマイナスの場合）
【図２】図２は同上の目的で一例として架空地線を覆うように、雷雲底イオンと同極性のイオンを発生させるコロナ放電方式による防雷方法の側、上面図例を示す（図２も上述と同じ）
【符号の説明】
【０００８】１  雷雲    ２  雷雲底のマイナスイオン    ３  碍子絶縁された針状細線の電荷放散器
４  重要防護設備    ５  絶縁電線
６  雷雲底のマイナスイオンに誘導された大地中のプラス電荷
７  コロナ放電方式等で発生したマイナス電荷    ８  架空地線    ９  球電極
１０  小支持碍子    １１  マイナス高電圧の子架空線    １２  架空送電線
１３  送電線鉄塔    １４  マイナスコロナ発生装置
【図１】
2012146615.tif 000003
【図２】
2012146615.tif 000004
(57)【要約】【課題】本発明は、複数のメモリーをマザーボードの複数のメモリースロットに同時に差し込むことができるメモリー保護スロット組立体を提供することを目的とする。【解決手段】本発明に係るメモリー保護スロット組立体は、少なくとも２つのメモリー保護スロットが並列に接続してなるメモリー保護スロット組立体であって、前記メモリー保護スロットは、本体及び前記本体の両端から上に向って垂直に延在する２つの固定部を備え、前記固定部の両側には、それぞれピン及び収容部が設けられ、前記収容部には、隣り合う他の１つのメモリー保護スロットのピンを収容するための係合孔が設けられる。【選択図】図３
2012146293.tif 000002
【特許請求の範囲】
【請求項１】
少なくとも２つのメモリー保護スロットが並列に接続してなるメモリー保護スロット組立体であって、
前記メモリー保護スロットは、本体及び前記本体の両端から上に向って垂直に延在する２つの固定部を備え、
前記固定部の両側には、それぞれピン及び収容部が設けられ、前記収容部には、隣り合う他の１つの前記メモリー保護スロットの前記ピンを収容するための係合孔が設けられることを特徴とするメモリー保護スロット組立体。
【請求項２】
前記本体には、メモリーを差し込むために用いられるスロットが設けられることを特徴とする請求項１に記載のメモリー保護スロット組立体。
【請求項３】
前記固定部の頂部には、前記メモリーを固定するために用いられる係合部が設けられることを特徴とする請求項１または２に記載のメモリー保護スロット組立体。
【発明の詳細な説明】
【技術分野】
【０００１】
本発明は、メモリー保護スロット組立体に関するものである。
【背景技術】
【０００２】
従来の技術において、メモリーを保護し、メモリーの摩損を減少するために、先ず、メモリーをメモリー保護スロットに差し込んでから、次に、前記メモリー保護スロットと一体になったメモリーをマザーボードのメモリースロットに差し込む。
【発明の概要】
【発明が解決しようとする課題】
【０００３】
しかし、普通のメモリー保護スロットではメモリーを１つだけ差し込むので、複数のメモリーをマザーボードの複数のメモリースロットに差し込む場合、先ず、複数のメモリーを複数のメモリー保護スロットに順に差し込んでから、次に、これらのメモリーをマザーボードの複数のメモリースロットに順に差し込むことを必要とするため、時間がかかる。
【０００４】
本発明の目的は、前記課題を解決し、複数のメモリーをマザーボードの複数のメモリースロットに同時に差し込むことができるメモリー保護スロット組立体を提供することである。
【課題を解決するための手段】
【０００５】
上記目的を達成するために、本発明に係るメモリー保護スロット組立体は、少なくとも２つのメモリー保護スロットが並列に接続してなるメモリー保護スロット組立体であって、前記メモリー保護スロットは、本体及び前記本体の両端から上に向って垂直に延在する２つの固定部を備え、前記固定部の両側には、それぞれピン及び収容部が設けられ、前記収容部には、隣り合う他の１つのメモリー保護スロットのピンを収容するための係合孔が設けられる。
【発明の効果】
【０００６】
本発明に係るメモリー保護スロット組立体は、複数のメモリー保護スロットを並列に接続してなるので、前記メモリー保護スロット組立体を利用して、複数のメモリーをマザーボードの複数のメモリースロットに１回で差し込むことができる。
【図面の簡単な説明】
【０００７】
【図１】本発明の実施形態に係るメモリー保護スロット組立体の１つのメモリー保護スロットの斜視図である。
【図２】図１に示すメモリー保護スロットの別の視角からの斜視図である。
【図３】本発明の実施形態に係るメモリー保護スロット組立体の斜視図である。
【発明を実施するための形態】
【０００８】
図１〜図３に示したように、本発明の実施形態に係るメモリー保護スロット組立体は、複数のメモリー２０を差し込むために用いられる。前記メモリー保護スロット組立体は、複数のメモリー保護スロット１０を備える。前記メモリー保護スロット１０は、本体１２及び前記本体１２の両端から上に向って垂直に延在する２つの固定部１４を備える。前記本体１２には、前記メモリー２０を差し込むためのスロット１３が設けられている。
【０００９】
前記固定部１４の両側には、それぞれピン１４０及び係合孔１４４を有する収容部１４２が設けられる。前記固定部１４の頂部には、前記メモリー２０を固定するために用いられる係合部１６が設けられる。
【００１０】
前記メモリー保護スロット組立体を組み立てる場合、１つの前記メモリー保護スロット１０のピン１４０を隣り合う他の１つの前記メモリー保護スロット１０の収容部１４２の係合孔１４４に挿入して係止することによって、２つの前記メモリー保護スロット１０は並列に接続される。このように複数の前記メモリー保護スロット１０を順に並列に接続することができる。
【００１１】
複数のメモリー２０をマザーボードの複数のメモリースロットに差し込む場合、前記マザーボードのメモリースロットの数によって、対応する数の前記メモリー保護スロット１０を並列に接続してメモリー保護スロット組立体を構成し、このメモリー保護スロット組立体を利用して、複数の前記メモリー２０を前記マザーボードの複数のメモリースロットに同時に差し込むことができる。
【符号の説明】
【００１２】
１０  メモリー保護スロット
１２  本体
１３  スロット
１４  固定部
１６  係合部
１４０  ピン
１４２  収容部
１４４  係合孔
２０  メモリー
【図１】
2012146293.tif 000003
【図２】
2012146293.tif 000004
【図３】
2012146293.tif 000005
(57)【要約】【課題】本発明は、ウェブページ上における表示広告の手法にて、中央の入札管理サーバーに過大な負荷をかけることなく、リアルタイム入札を実現させることを課題とする。【解決手段】図１に示したように、本発明では、リアルタイム入札の管理を、中央の入札管理サーバーの処理のみに頼らず、ブラウザー上においても入札管理の一部を担わせることとする。【選択図】図１
2012146274.tif 000002
【特許請求の範囲】
【請求項１】
ウェブページを閲覧するユーザーに適した広告を配信する際、広告枠を買い付けることが出来る外部の入札参加者に対して、その広告枠インプレッション買付の問い合わせをリアルタイムに行う仕組みを持つインターネット広告システム
【請求項２】
広告枠のインプレッションが発生した際、ブラウザーからリアルタイムに、外部の入札参加者に対して、その広告枠インプレッション買付の問い合わせを行う請求項１記載のインターネット広告システム
【発明の詳細な説明】
【技術分野】
【０００１】  この発明は、インターネット広告技術に関する。
【背景技術】
【０００２】  これまで、インターネット広告システムにおいて、広告インプレッション行為を入札制でリアルタイムに買付を行うには、広告枠を管理する配信サーバー上にて広告インプレッションに対しての入札取引のシステムを構築し、外部の買付システムがリアルタイムで広告枠のインプレッションを買い付ける仕組みが一般的であった。
【発明の開示】
【発明が解決しようとする課題】
【０００３】  しかしながら、以上の従来技術によれば、中央で広告枠の入札管理を行うシステムには、広告枠のインプレッション規模と、入札参加する外部の接続サーバー規模に応じて、高い負荷がかかることとなり、膨大な入札に耐えられるだけのシステムが必要となる課題があった。
そこでこの発明は、ウェブページ上における表示広告の手法にて、中央の入札管理サーバーに過大な負荷をかけることなく、リアルタイム入札を実現させることを課題とする。
【課題を解決するための手段】
【０００４】  以上の課題を解決するために、本発明では、リアルタイム入札の管理を、中央の入札管理サーバーの処理のみに頼らず、ブラウザー上においても入札管理を担わせることとする。
【発明の効果】
【０００５】  本発明によれば、中央の入札管理サーバーのみに入札管理処理を行わせないため、従来のリアルタイム入札システムと比べ、入札管理サーバーに過大なシステム投資を必要としなくなる。
【発明を実施するための最良の形態】
【０００６】  この発明の一実施形態を、図１に示す。
オーディエンス（１ａ）が、ウェブページ（１ｂ）を閲覧した際、ウェブページに貼り付けた広告枠（１ｃ）から、中央にて入札管理をする広告配信サーバー（１ｄ）に、リクエストが発生する。入札管理サーバー（１ｄ）は、予め入札に参加する外部の入札参加者（１ｅ）のリストを把握しているので、リクエストを送ったオーディエンス（１ａ）のブラウザーが表示する広告枠（１ｃ）内で、ブラウザーに対し、外部入札参加者（１ｅ）への問い合わせを行わせる。
外部入札参加者（１ｅ）は、発生したインプレッションに対し、入札金額情報を含むレスポンスをブラウザーに行い、この中から入札に買ったシステムの持つ広告情報が広告枠（１ｃ）内にて表示される。【０００７】「実施形態の効果」
この実施形態によれば、入札参加者（１ｅ）への問い合わせは、中央の入札管理サーバー（１ｄ）ではなく、広告枠（１ｃ）を表示するブラウザーに行わせる仕組みとなるため、中央の入札管理サーバー（１ｄ）の負荷を落とすことが出来た。【０００８】「他の実施形態」
図１では、広告枠（１ｃ）から、外部入札参加者（１ｅ）にブラウザー上で問い合わせる仕組みであったが、外部入札参加者が少なければ、リダイレクトを使って広告枠（１ｃ）のｉｆｒａｍｅ内ページＵＲＬを直接入札参加者の広告配信ＵＲＬに飛ばす形での入札参加方法も考えられる。この場合、入札参加者（１ｅ）が発生したインプレッションの買付を行いたくない場合は、再度入札管理サーバー、もしくは別の入札参加者のサーバーへリダイレクトしなおすことで、枠の買付を拒否することが可能となる。
【図面の簡単な説明】
【０００９】
【図１】この発明の一実施形態を示す図である。
【符号の説明】１ａ  ウェブページを閲覧するオーディエンス
１ｂ  広告が掲載されたウェブページ
１ｃ  ウェブページに掲載された広告枠
１ｄ  広告枠と入札の管理を行う配信サーバー
１ｅ  リアルタイム入札に参加する外部のシステム
【図１】
2012146274.tif 000003
(57)【要約】【課題】スクリーン表面で捕捉分離した篩渣を、最小限の装置で連続的に除去移送する。【解決手段】ゆっくり回転または走行するスクリーン１の上から下へ流体２を流し、スクリーン上面で捕捉分離した篩渣３を、スクリーン下部に設けた空気噴射管４から高圧空気５を噴射して逆流洗浄し、篩渣をスクリーン面から剥離させるとともに気泡の浮力によって上向流６を生み出して、スクリーン上部に設けた樋状の篩渣排出口７及びそれに接続する篩渣移送管８に篩渣を流入させ、連続的に除去・移送する。【選択図】  図１
2012115797.tif 000002
【特許請求の範囲】
【請求項１】
ゆっくり回転または走行するスクリーンによって捕捉分離された篩渣を、スクリーン下部に設けた空気噴射管から噴射する空気によって逆流洗浄し、スクリーン上部に設けた樋状の篩渣排除口及びそれに接続する篩渣移送管によって篩渣を除去移送することを特徴とする空気逆洗による篩渣の除去方法。
【発明の詳細な説明】
【技術分野】
【０００１】
本発明は、たとえば、汚水中に含まれる紙・繊維・汚物などの夾雑物を、設置場所の制約を受けず円滑に効率的に除去するための方法に関するものである。
【背景技術】
【０００２】
スクリーンにより汚水から分離された篩渣をスクリーン面から除去する方法として、従来「１．重力を利用し機械的に掻き落す」、「２．スクリーン面に沿った水流によって下流に掃流する」、「３．スクリーンの裏面から水を吹き付けて逆流洗浄する」などの方法が採られてきた。しかし、「１」の方法では掻き落し装置に篩渣が付着しがちなこと、「２」の方法では「スクリーン面に沿った水流」や「その水流を受け入れる下流側の管渠」が存在しない場合は使用できないこと、「３」の方法では洗い落としのためにスクリーンでのろ過動作を間欠運転としたり逆流洗浄水を送るためのポンプなどに大きな動力を必要とすること、さらに、除去した篩渣を移送するためにベルトコンベアなどの大がかりな機械設備が必要なこと、など、スクリーンを設置するにあたって多くの制約があった。
【先行技術文献】
【特許文献】
【０００３】
【特許文献１】特許公開２００７−１３８５４８
【特許文献２】特許公開２００８−２８０６６９
【特許文献３】特許公開平６−３０３
【発明の概要】
【発明が解決しようとする課題】
【０００４】
本発明は、掻落し装置に篩渣が付着しないようにすること、掻寄せた篩渣を下流に掃流するための水流やその流れを受け入れる下流側の管渠が存在しない場合でも処理できること、連続的に篩渣の除去が可能なこと、大がかりな機械設備がなくても篩渣の移送が可能なこと、などの課題を解決しようとするものである。
【課題を解決するための手段】
【０００５】
ゆっくり回転または走行するスクリーンによって捕捉分離された篩渣を、スクリーン下部に設けた空気噴射管から噴射する空気によって逆流洗浄し、スクリーン上部に設けた樋状の篩渣排除口及びそれに接続する篩渣移送管によって篩渣を除去移送することを特徴とする空気逆洗による篩渣の除去方法である。
【発明の効果】
【０００６】
本発明は、スクリーンによって捕捉分離された篩渣を最小限の装置で連続的に除去移送する方法であって、運転する機械装置は回転または走行するスクリーンと高圧空気を発生させる空気圧縮機のみという最小限の装置で構成され、スクリーンをゆっくり回転または走行させることにより、空気逆洗によってスクリーンは連続的に洗浄され目詰まりすることなく常に新しい面でろ過を継続することができる
【図面の簡単な説明】
【０００７】
【図１】本発明の構成を示す断面図である。
【図２】本発明の構成を示す斜視図である。
【発明を実施するための形態】
【実施例】
【０００８】
図１及び図２において、ゆっくり回転するスクリーン１によって捕捉されて流体２から分離された篩渣３を、スクリーン下部に設けた空気噴射管４から上方に向けて噴射する高圧空気５によって吹き飛ばしながらスクリーンから剥離させて逆流洗浄するとともに、気泡の浮力による上向きの流れ６を生じさせ、スクリーン上部に設けた樋状の篩渣排出口７及びそれに接続する篩渣移送管８に流入させて篩渣９を除去移送するものである。スクリーンを通過した篩渣除去後の流体１０は、スクリーン下部から流出する。
【符号の説明】
【０００９】
１  スクリーン
２  篩渣除去前の流体
３  スクリーンで捕捉分離された篩渣
４  空気噴射管
５  高圧空気
６  気泡の浮力による上向きの流れ
７  樋状の篩渣排除口
８  篩渣移送管
９  除去移送される篩渣
１０  篩渣除去後の流体
【図１】
2012115797.tif 000003
【図２】
2012115797.tif 000004
(57)【要約】【課題】汚染水の速時浄化、海洋汚染の防止、海洋汚染の保護【解決手段】汚染水を液体水素（−２５２．６℃）の中へ流し込む【選択図】図２
2012115821.tif 000002
【特許請求の範囲】
【請求項１】
汚染水の速やかな浄化のために、液体水素（Ｈ２）（−２５２．６℃）の中へ流し込む
超低音と大量の水素の存在のために汚染物質の結合が切れ易くなり、浄化される
【発明の詳細な説明】
【技術分野】
【０００１】汚染水処理
【背景技術】
【０００２】量子力学
【発明の概要】
【発明が解決しようとする課題】
【０００３】汚染水の速時浄化
海洋資源の保護
【課題を解決するための手段】
【０００４】汚染水を水素水（−２５２．℃）の中へ通す
【発明の効果】
【０００５】汚染水の汚染物質は瞬時に浄化される
【図面の簡単な説明】
【０００６】
【図１】汚染水を液化水素（−２５２．６℃）の中へ混ぜるために流し込む
【図２】汚染物質の結合が超低温と大量の水素（Ｈ２）の存在により、電子の活動が鈍り、他からの（Ｈ２）影響を受け易くなり、原子結合が切れて、汚染物質が浄化される
【発明を実施するための形態】
【０００７】水素（Ｈ２）を液体化させ、その中に汚染水を入れ込む
【産業上の利用可能性】
【０００８】家庭排水、工業排水の速やかな浄化、海洋資源の保護
【図１】
2012115821.tif 000003
【図２】
2012115821.tif 000004
【手続補正書】
【提出日】平成23年10月21日(2011.10.21)
【手続補正２】
【補正対象書類名】特許請求の範囲
【補正対象項目名】請求項１
【補正方法】変更
【補正の内容】
【請求項１】
汚染水の速やかな浄化のために、液体水素（Ｈ２）（−２５２．６℃）の中へ流し込む超低温と大量の水素の存在のために汚染物質の結合が切れ易くなり、汚染水は浄化される。
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
液体水素（−２５２．６℃）の中に汚染物質を含んだ工業排水・家庭排水を流し込むことで、汚染物質の分子の活動は急激に冷やされ、冷やされることで分子はその分子活動（電子活動）が鈍くなる。電子の活動が超・鈍くなると、分子結合の陽子同士はその斥力により、お互いの結合はゆるやかとなりお互いの分子内原子間の距離は少し離れる。そこへ大量の水素分子が入り込むことで、汚染物質の分子内原子はより結合し易い水素分子と結合をしようとするので、もともとの汚染物質の分子構造はより不安定となり、結合が切れ易い状態となる。液体水素の中の水素分子の数はかなりの量にのぼり、大きな原子量を持つ原子物質はより小さな原子量の水素と結合しようとして、汚染物質の分子結合の足を水素分子へと向けやすくなる。このため、超・低温下では汚染物質の分子結合は切れ易く、浄化され易い。
【手続補正２】
【補正対象書類名】図面
【補正対象項目名】図２
【補正方法】変更
【補正の内容】
【図２】
2012115821.tif 000005
(57)【要約】【課題】排水の浮上分離処理の運転経費を削減する。【解決手段】浮上分離用の凝集剤の替わりに、汚泥を添加する。【選択図】図１
2012115820.tif 000002
【特許請求の範囲】
【請求項１】
排水に薬剤を添加混合した後加圧浮上又はマイクロバブル発生装置等により発生する微細な気泡による浮上分離処理、次いで微生物を利用した曝気処理、更に汚泥を沈澱分離或いは膜分離等の固液分離処理により曝気処理された処理水と汚泥の混合液から汚泥を分離除去する処理によって、排水中の汚濁物質を浄化する排水処理施設に於いて、浮上分離用薬剤として汚泥を排水に添加する排水処理設方法。
【請求項２】
前項１の排水処理施設に於いて、排水に薬剤を添加混合する槽に、曝気処理された処理水と汚泥の混合液から分離された汚泥を添加する為の配管、ポンプ又はコンベアー等の装置を設けた排水処理装置。
【発明の詳細な説明】
【技術分野】
【０００１】  本発明は、微細な気泡による浮上分離処理、次いで微生物を利用した曝気処理及び汚泥フロックの分離処理により、排水中の汚濁物質を浄化する排水処理施設の運転経費を削減する技術である。【０００２】  微生物を利用した曝気処理及び汚泥フロックの分離処理により排水処理を行うことは業界では周知のことであるが、曝気処理に於いて汚泥フロックの浄化機能を損なう油分が排水中に高濃度に含まれている場合には、曝気槽の前段に、排水に凝集剤を加え、油分を微細な気泡に付着させて浮上分離させ、油分を除去する方法が広く採用されている。【０００３】  排水中に、油分以外に、曝気処理によって分解消化され難い浮遊物質が高濃度に含まれている排水に関しても、排水に凝集剤を加え、凝集物を微細な気泡に付着させて浮上分離することにより、その浮遊物質を分離除去する方法も広く知られている。【０００４】  この凝集剤としては、硫酸アルミニュウム、鉄塩、ポリ塩化アルミニュウム等の無機塩類、アルギン酸ナトリウムやポリアクリルアミド等の有機高分子凝集剤が広く使用されている。
【発明の概要】
【０００５】  これ等の凝集剤は性能が優れているが高価であり、排水のｐＨによってはｐＨを調整するため中和剤が必要になり、さらに凝集反応の際に不快な臭気を発生させることがある。
【０００６】  余剰汚泥を薬剤として使用する技術に関して特許検索をおこなったが、この発明に関係した情報は皆無であった。
【課題を解決するための手段】
【０００７】  本発明の手段は、基本的には凝集剤の替わりに、汚泥の沈澱分離槽より引き抜いた汚泥を、排水の薬剤添加混合装置に加えるだけで良い。【０００８】  次に、この方法をＢＯＤ１３００〜１７００ｍｇ／Ｌの食品加工工場の排水に試験した結果を示す。【０００９】  この工場では、排水に苛性ソーダを加えてｐＨ調整し、凝集剤としてポリ塩化アルミニュウムを添加し、加圧浮上しているが、その分析値を示す。
【表１】
2012115820.tif 000003
【００１０】  次に試験的に、この工場の排水サンプルに対し、排水量に対する余剰汚泥引き抜き量割合に相当する水分９８％の余剰汚泥を重量比で４％加え、微細気泡による浮上分離を行ったところ、下記の分析結果を得た。
【表２】
2012115820.tif 000004
【００１１】  この試験では、汚泥にはｐＨを中和する機能があるので、ｐＨ調整の為の薬剤は添加していない。【００１２】  凝集剤としてポリ塩化アルミニュウムを使用した場合には、悪臭が発生するが、薬剤の替わりに汚泥を使用した場合には、ほとんど悪臭の発生はない。【００１３】  ｎ−ヘキサン抽出物質の除去率を比較すると、ポリ塩化アルミニュウムを使用した場合には９８．５％、汚泥を使用した場合には８４％であり、ポリ塩化アルミニュウムの方が除去率が高く、従って浮上分離液の残留ｎ−ヘキサン抽出物質の濃度は、汚泥を使用した場合の方が１５０ｍｇ／Ｌと高い。【００１４】  しかしながら、浮上分離処理水中のｎ−ヘキサン抽出物質濃度が１５０ｍｇ／Ｌ程度あっても、曝気槽で浮上分離処理液の排水の処理は問題なく可能である。【００１５】  浮遊物質についても除去率を比較すると、除去率はポリ塩化アルミニュウムを使用した場合には９８．３％，汚泥を使用した場合には７３．８％であり，ポリ塩化アルミニュウムの方が除去率が高く、従って浮上分離液の残留浮遊物質濃度は、汚泥を使用した場合の方が４２０ｍｇ／Ｌと高い。【００１６】  しかしながら、浮上分離処理水中の浮遊物質濃度が４２０ｍｇ／Ｌ程度あっても、曝気槽で浮上分離処理液の排水処理は問題なく可能である。
【発明の効果】
【００１７】  本発明により、簡便な方法により、微細な気泡による浮上分離処理用の薬剤費用を削減し、且つ悪臭の発生問題を避けることが出来る。
【発明を実施するための形態】
【図面の簡単な説明】
【００１８】
【図１】発明を実施する為の最良の形態を示す。
【符号の説明】
【００１９】▲１▼  汚泥混合槽
▲２▼  浮上分離槽
▲３▼  曝気槽
▲４▼  沈澱分離槽
【産業上の利用可能性】
【００２０】  本発明は、食品工場排水、農産物加工及び水産加工排水、屎尿処理及び畜産排水処理の分野等の、汚濁物質が主に天然有機物である排水処理の分野で利用可能である。
【図１】
2012115820.tif 000005
(57)【要約】【課題】紙などを切断するときに切断したい直線のラインが描かれている場合でも或いは  そのラインが描かれていない場合においても容易に直線で切り進めることを可能とし、  また、紙面の内側を外側から順に切るのではなく直接切り抜くことも可能とする切断用  のはさみ。【解決手段】２枚の刃体が刃先から刃元へとクロスしながら切断していく刃元が開い形状  の刃体を備える。これにより刃先と刃元をそれぞれ切断したい直線上に置き切断すると  刃先と刃元を２点とする直線を切断できる。、さらに刃先に三角状の突起した刃部を備  えさせた。これにより外側から切り進めることなく内側をくり抜くことができる。【選択図】図１
2012115491.tif 000002
【特許請求の範囲】
【請求項１】
刃先から刃元へと切断していく刃元が開いた刃体の形状を備え、さらに刃先に三角状の  突起した刃部を有する切断用のはさみ。
【発明の詳細な説明】
【発明の概要】
【発明が解決しようとする課題】
【０００１】
これまでのはさみは、直線に切ろうとする場合、予め引いた直線に沿って切るしかな    く、その場合でも線からずれないように注意しなければならなかった。
【０００２】
また、従来のはさみは、穴をくり抜くように切ることはできなかった。
【課題を解決するための手段】
【０００３】
本発明は、はさみの刃体を刃先から切り裂いていくような形状にした。また、刃先部    分に三角状に突起した刃を取り付け加工した。、
【発明の効果】
【０００４】
はさみの刃体を刃先から切り裂いていくような形状にすることによって、刃先と刃元    を結んだ直線を切り取ることができるようにした。また、刃先部分に三角形の突起し    た刃を加工取り付けることによって、先端からスム−スに切り裂けるようになるとと    もに、穴をくり抜くように切ることが可能になった。
【図面の簡単な説明】
【０００５】
【図１】はさみの斜視図
【図２】はさみの分解斜視図
【符号の説明】
【０００６】
１・・・刃先
２・・・突起部
３・・・刃元部上部
４・・・刃元部下部
【実施例１】
【０００７】
図１の１又は２を切断する物（紙など）に書かれた直線の片端上に置き、３の部分を    直線の他の片端に置き、,押し切ると１と３を結んだ直線に切れる。
【実施例２】
【０００８】
紙などの内側をくり抜きたい時は、１及び２をそのくり抜きたい部分に当てて切断す    ることができる。このはさみは直線にしか切れないが、１〜２の刃先部分のみは従来    のはさみと同様曲線も切断することができる。
【図１】
2012115491.tif 000003
【図２】
2012115491.tif 000004
(57)【要約】【課題】寝鼾を掻く人が夜間就寝時、周囲で寝ている人に迷惑をかけないようにする為枕に、首を持上げる（又は支える）為のクッション材（首の部分のみに）装填し寝鼾を掻かないように工夫した枕を提供する。【解決手段】枕の綿入り３と４の首が当たる部分にクッション材２を縫い付ける事ににより首が持ち上がり頭を後方に傾斜させ（尚クッション材の後ろ綿入り３と４の間に空間を必ず持たせる事が必要）寝鼾を掻かないようにした。【選択図】図１
2012115694.tif 000002
【特許請求の範囲】
【請求項１】
枕の首が当たる部分に首を持ち上げる（又はささえる）クッション材を装填し首を持上げて頭が後方に反りかえるるようにし、上向きの顔が斜め後方に向くように考慮し鼾をかかないようにした枕。
【発明の詳細な説明】
【発明の詳細な説明】
【技術分野】
【０００１】本発明は、就寝時鼾を掻いて周囲で就寝している人に迷惑をかける為鼾を掻かないよう考案した枕である。
【背景技術】
【０００２】従来は、鼾を掻かないようにする枕は無かった。
【発明が解決しようとする課題】
【０００３】夜就寝時、寝鼾を掻く人がいる為睡眠がよく取れない人がいる、本発明は、この課題を解消する為になされたものである。
【課題を解決する為の手段】
【０００４】枕の首の付根部分が当たるカ所に、首を持上げる（又は支える）為の、クッション材２を装填することにより、首の付根が持ち上がり頭が後方に下がり、顔が上向き就寝時斜め後方を向くように考案し鼾をかかないようにした。
【発明を実施するための形態】
【０００５】以下、本発明の実施の形態について説明する。
（イ）．枕の首取り合いカ所に首を支えるクッション材２を装填し３と４のクッション取り合い部分を縫い付ける。
（ロ）．３と４の綿入り部分の間に空間を持たせ頭がくいこむようにし顔が後方を向くようにし舌が気道を塞が無いようにした為鼾を掻かなくなった。
【発明の効果】
【０００６】夜間就寝時上向きに寝た場合寝鼾を掻く人も鼾を掻かなくなり周囲の人も良く睡眠が取れるように成った。
※肩懲りも解消された。
【図面の簡単な説明】
【図１】本発明の正面図である。
【図２】本発明の使用状態を示す断面図である。
【符号の説明】１  枕本体
２  クッション材
３  上部綿入
４  下部綿入
５  枕用布
【図１】
2012115694.tif 000003
【図２】
2012115694.tif 000004
【手続補正書】
【提出日】平成24年3月5日(2012.3.5)
【手続補正２】
【補正対象書類名】図面
【補正対象項目名】全図
【補正方法】変更
【補正の内容】
【図１】
2012115694.tif 000005
【図２】
2012115694.tif 000006
(57)【要約】      （修正有）【課題】従来のマスクのウイルス捕捉フィルターでは気流に乗りやすい浮遊物が球体集合体を通過するためにウイルスや匂いの漏れがあった。樹脂の２層化では表面にフランキンセンスを用いているために木に染み込みにくく付着した粒子が内部に溶けこみにくかった。マスクの吸収量と吸収速度を改善する。【解決手段】作業用マスクの不織布からなる袋状濾過フィルター１を補足部（球体集合体）４の前に置き呼気を濾過する。球体表面のフランキンセンスの外側をさらにシャムベンゾインで被い３層とする。【選択図】図１
2012115624.tif 000002
【特許請求の範囲】
【請求項１】
特願２００９ー１７５８２７の図中に示す捕捉部（球体集合体）の開口面に防塵不織布からなる袋状濾過フィルターを設ける。
【請求項２】
特願２００９ー２６０４２３に更に１層加え、球体内部にベンゾインクリスタル、球体表面内側にフランキンセンス、球体表面外側にシャムベンゾインを用い３層とする。
【請求項３】
捕捉部とパッド部を一体化し、その形状の概略を図に示す。
【発明の詳細な説明】
【技術分野】
【０００１】  インフルエンザ等、空気感染を防ぐマスク。
【発明の概要】
【発明が解決しようとする課題】
【０００２】    前出願（特願２００９ー１７５８２７）では気流に乗り安い浮遊物が球体集合体を通過するためにウイルスや匂いに漏れが生じていた。
前出願（特願２００９ー２６０４２３）の樹脂の２層化では表面にフランキンセンスを用いたが、木に染み込みにくいという性質のため付着した粒子が内部に溶け込みにくかった。
【課題を解決するための手段】
【０００３】  作業用マスクに使用される不織布からなる広い面積を持つ袋状濾過フィルターを捕捉部（球体集合体）の前に置き吸気を濾過する。
フランキンセンスの外側をシャムベンゾインで被い３層とする。
【発明の効果】
【０００４】  人込みでは埃が、腐敗臭が漂う環境では菌糸が浮遊している。これらの浮遊物は作業用マスクの不織布で濾過し取り除くことが可能である。吸気を濾過し気流に乗り安い埃や菌糸を取り除くことができれば、これらに付着して漏れるウイルスや臭いを減らし遮断率を向上できる。同時に、球体に付着する埃や菌糸を減らし使用時間を延ばすことができる。
シャムベンゾインは粘りが強く柔らかいため、付着した粒子が内部に溶け込み安く、吸収量と吸収速度を改善できる。
以上２点の改善で臭いが強い環境下でもほとんど臭いを感じないまでに遮断率を向上できた。
【図面の簡単な説明】
【０００５】
【図１】  図１はフィルターの概要図
【図１】
2012115624.tif 000003
【手続補正書】
【提出日】平成23年7月1日(2011.7.1)
【手続補正１】
【補正対象書類名】特許請求の範囲
【補正対象項目名】全文
【補正方法】変更
【補正の内容】
【特許請求の範囲】
【請求項１】
樹脂玉内部にベンゾインクリスタル、樹脂玉表面内側にフランキンセンス、樹脂玉表面外側にシャムベンゾインを用い３層とするウイルス捕捉フィルターの改善。
【手続補正２】
【補正対象書類名】明細書
【補正対象項目名】全文
【補正方法】変更
【補正の内容】
【発明の詳細な説明】
【技術分野】
【０００１】  インフルエンザ等、空気感染を防ぐマスク。
【発明の概要】
【発明が解決しようとする課題】
【０００２】  前出願（特願２００９ー２６０４２３）の樹脂の２層化では表面にフランキンセンスを用いたが、木に染み込みにくいという性質のため付着した粒子が内部に溶け込みにくかった。
【課題を解決するための手段】
【０００３】  フランキンセンスの外側をシャムベンゾインで被い３層とする。
【発明の効果】
【０００４】  シャムベンゾインは粘りが強く柔らかいため。付着した粒子が内部に溶け込み易くなり、吸収量と吸収速度を改善できる。
【手続補正３】
【補正対象書類名】図面
【補正対象項目名】全図
【補正方法】削除
【補正の内容】
(57)【要約】【課題】  料理の手間【解決手段】既存の器具の組み合わせによる。【選択図】図１
2012115623.tif 000002
【特許請求の範囲】
【請求項１】
はさみの先端部が物をつかむ機能を持つもの。
【請求項２】
はさみの形状、先端部の形状、寸法の制約およびその製品の素材によらずはさみとものをつかむ（ここでは料理用として菜箸の表現を使用）機能を伏せ持ったもの全般に該当する。
【請求項３】
はさみの部分には片面にナイフの機能も合わせてふせもつこと。
【発明の詳細な説明】
【技術分野】
【０００１】・料理器具
【背景技術】
【０００２】・料理用はさみにナイフの機能をつけ、更に先端部に菜箸の機能を付加する。
【先行技術文献】
【特許文献】
【０００３】
【特許文献１】
【特許文献２】
【非特許文献】
【０００４】
【非特許文献１】
【非特許文献２】
【発明の概要】
【発明が解決しようとする課題】・料理の手間を省く。
【課題を解決するための手段】・調理する際に包丁ではなくはさみを使用する。またものを切りながらほぼ同時にきったものをかき混ぜることができるようにする。
【発明の効果】・料理用はさみの先端部に菜箸の機能を付加することにより、調理の際にこれまで必要とされたまな板が不要になり、フライパン、鍋等の上で空中で食物を裁断し、そのままかき混ぜたり、つかんだり、ひっくり返したりすることが可能になる。料理の手法の常識を変える画期的なアイテムとなり、これからの特に独身者など一人暮らしで手間を省きたい世代や既婚者でも家事を手伝うことが多くなるこれからの男性に欠かせないスタンダードな必需品となる。
まな板が不要になり、これまでのようにまな板の上で切った食物を一度フライパン、鍋に移し変える作業が不要になる。またこの製品に負荷されている菜箸により切った後に別の菜箸に持ち替える作業も不要になる。結果としてあらいものの量も減り水資源の節約にもつながる。
【図１】
2012115623.tif 000003
【手続補正書】
【提出日】平成23年4月15日(2011.4.15)
【手続補正１】
【補正対象書類名】明細書
【補正対象項目名】全文
【補正方法】変更
【補正の内容】
【発明の詳細な説明】
【技術分野】
【０００１】
・料理器具
【背景技術】
【０００２】
・       
料理用はさみにナイフの機能をつけ、更に先端部に菜箸の機能を付加する。
【先行技術文献】
【特許文献】
【０００３】
【特許文献１】なし
【特許文献２】なし
【非特許文献】
【０００４】
【非特許文献１】なし
【非特許文献２】なし
【発明の概要】
【発明が解決しようとする課題】
【０００５】
・料理の手間を省く
【課題を解決するための手段】
【０００６】
・調理する際に包丁ではなくはさみを使用する。またものを切りながらほぼ同時に切ったものをかき混ぜることができるようにする。
【発明の効果】
【０００７】
・料理用はさみの先端部に菜箸の機能を付加することにより、調理の際にこれまで必要とされたまな板が不要になり、フライパン、鍋等の上の空中で食物を裁断し、そのままかき混ぜたり、つかんだり、ひっくり返したりすることが可能になる。料理の手法の常識を変える画期的なアイテムとなり、これからの特に独身者など一人暮らしで手間を省きたい世代や既婚者でも家事を手伝うことが多くなるこれからの男性に欠かせないスタンダードな必需品となる。まな板が不要になり、これまでのようにまな板の上で切った食物を一度フライパン、鍋に移し変える作業が不要になる。またこの製品に負荷されている菜箸により切った後に別の菜箸に持ち替える作業も不要になる。結果としてあらいものの量も減り水資源の節約にもつながる。
【図面の簡単な説明】
【０００８】
（図１）
全体としてはさみと菜箸とナイフを併せ持った調理器具である。使用方法は従来のはさみと同様。その延長線でものをはさむことが出来る箇所を作っている。
○Ａ、Ｂ部分が菜箸機能となる。○Ｃの部分がナイフ機能、○Ｄ部分ははさみの機能となる。
(57)【要約】      （修正有）【課題】入浴時乳幼児の頭や体をシャンプーするとき片手で乳幼児の体を支えるため安定感がなく両手を使ってシャンプーできなかった。両手が使えるため安全にシャンプーできることを目的とする。【解決手段】湯水、泡が流れやすいように、乳幼児の肌に優しいメッシュ素材で作成しメッシュ素材の周囲端部は布や綿などの柔らかい素材からなるフレーム２で被覆し、乳幼児の背中から後頭部をサポートするためのヘッドパット３を乳幼児ホルダー１の内側ほぼ上部中央に取り付け乳幼児ホルダー１に手、足を通すためのアームホール４、レッグホール５をヘッドパット３中心に左右対称にそれぞれ２箇所開口部を設け、乳幼児ホルダー１本体のフレーム部に連結して首にかける調節機能のあるベルトを設ける。【選択図】図１
2012115625.tif 000002
【特許請求の範囲】
【請求項１】
乳幼児ホルダー本体部分を周縁部はフレームで被覆し、ヘッドパットを乳幼児ホルダーの内側ほぼ中央上部に設け、ヘッドパットの左右対称にアームホールとレッグホールをそれぞれ２箇所設け、首用ベルトをフレーム部分から連結したことを特徴とする入浴時乳幼児の頭や体を安全にシャンプーするためのホルダー。
【発明の詳細な説明】
【技術分野】
【０００１】本発明は入浴時、乳幼児の頭や体を安全にシャンプーするためのホルダーに関するものである。
【背景技術】
【０００２】  従来、入浴時片手で乳幼児の体を支えもう一方の手で頭や体を洗っていた。なお、入浴時ではないがおぶいひも頭ガードというのがある。
【先行技術文献】
【特許文献】
【０００３】
【特許文献１】特開８−１６４０４１号公報
【発明の概要】
【発明が解決しようとする課題】
【０００４】  入浴時乳幼児の頭や体を洗うとき片手で乳幼児の体を支えるため安定感がなく両手を使ってシャンプーできなかった。
本発明は以上の問題点を解決するものである。
【課題を解決するための手段】
【０００５】  湯水、泡が流れやすいように、乳幼児の肌に優しいメッシュ素材で乳幼児ホルダー本体部分を作成し、メッシュ素材の周縁部は布や綿などの柔らかい素材からなるフレームで被覆している。乳幼児の背中から首にあたる部分には乳幼児ホルダーのほぼ中央上部にヘッドパットを設ける。ヘッドパットの左右対称に手、足を通すための開口部を設ける。ホルダー本体のフレーム部に連結して長さ調節可能な首にかけるベルトを備える。（肩用ベルトでも可能）
【発明の効果】
【０００６】  従来、乳幼児の頭や体をシャンプーする時は片手で乳幼児の体を支えるため安定感がなく両手が使えなかったが、本発明により安全に両手を使ってシャンプーすることができる。またそのまま湯船に入ることもできる。
【図面の簡単な説明】
【０００７】
【図１】本発明の斜視図
【図２】本発明の使用状態を示す斜視図
【発明を実施するための形態】
【０００８】  以下本発明の実施の形態を説明する。
（イ）入浴時、乳幼児の体を包み込んで保護する乳幼児ホルダーである。
（ロ）乳幼児ホルダー（１）本体は乳幼児の肌に優しいメッシュ素材からなる。
（ハ）メッシュ素材の周縁部は布や綿などの柔らかい素材からなるフレーム（２）で被覆している。
（ニ）乳幼児ホルダー縦方向の断面形状は略Ｊ字形状となっており、乳幼児を坐った状態で収容する空間を形成している。
【０００９】（ホ）乳幼児の背中から後頭部をサポートするためのヘッドパット（３）を乳幼児ホルダーの内側のほぼ上部中央に設ける。ヘッドパットは平板または乳幼児の背中のカーブに沿って短手方向に湾曲したプラスチック樹脂を布などの保護カバーで包んだもの、または空気袋を取り付けたものである。ヘッドパットはホルダー上部よりも突出している。このときの突出量は２センチ以上４センチ以下が好ましい。
（ヘ）乳幼児ホルダーに手を通すためのアームホール（４）、足を通すためのレッグホール（５）をそれぞれ２箇所、開口部を設ける。開口部はヘッドパットを中心に対称に設ける。
【００１０】（ト）乳幼児ホルダー本体のフレーム部に連結して首にかけるベルト（６）を設ける。首用ベルトは使用者の首周りに装着される。首にかけるベルトは、使用者の身体の大きさに応じて任意の調節機能（７）によって調節できる。図３に示すとおり、首用ベルトに代わるものとして使用者の肩にかけるタイプのものも可能である。
【符号の説明】
【００１１】１、乳幼児ホルダー  ２、フレーム部分  ３、ヘッドパット  ４、アームホール
５、レッグホール    ６、首用ベルト    ７、調節機能
【図１】
2012115625.tif 000003
【図２】
2012115625.tif 000004
【図３】
2012115625.tif 000005
【図４】
2012115625.tif 000006
【手続補正書】
【提出日】平成23年1月22日(2011.1.22)
【手続補正１】
【補正対象書類名】明細書
【補正対象項目名】０００７
【補正方法】変更
【補正の内容】
【０００７】
【図１】  本発明の斜視図
【図２】  本発明の使用状態を示す斜視図
【図３】  本発明の正面から見た図
【図４】  本発明の肩用ベルトにした場合の斜視図
(57)【要約】      （修正有）【課題】電子回路を組み込んで、体内音、特に心音、呼吸音を、単独でも聴くことができるようにした聴診器を提供する。【解決手段】マイク内蔵チェストピース１に、直接操作部ケース２を取り付け、内蔵のスイッチ群４，５，６，７で、体内音は、コード内蔵チューブ８からイヤホン１０を駆動し、Ｙチューブ１１、耳管１２からイヤーピース１３に出力され心音のみとか、呼吸音のみと云う切り替えを容易にし、また、アダプター用Ｙチューブを使用して、イヤホン１０の出力を、検診者以外とも同時聴取を可能としたことを特徴とする。【選択図】図１
2012115626.tif 000002
【特許請求の範囲】
【請求項１】
マイク内蔵チェストピース（１）に、プッシュ・オンの電源スイッチ（３）と、スイッチ群（４、５、６、７）を内蔵した操作部ケース（２）から出力された体内音は、コード内蔵チューブ（８）からイヤホン（１０）を駆動し、Ｙチューブ（１１）、耳管（１２）からイヤーピース（１３）に出力され、さらに、電池ケース（９）から操作部ケース（２）には、コード内蔵チューブ（８）から電力を供給されることを特徴とする聴診器。
【請求項２】
請求項２のＹチューブ（１１）と、以後の耳管（１２）、イヤーピース（１３）を取り除き、アダプター用Ｙチューブ（１４）に変更して、これに耳管付きＹチューブ（１５）を取り付けて、検診者以外と同時聴取ができるようにした聴診器。
【発明の詳細な説明】
【技術分野】
【０００１】  この発明は、電子回路を組み込んで、体内音、特に心音、呼吸音を単独でも聴くことができるようにした、聴診器に関するものである。
【背景技術】
【０００２】  従来、一般に使用されている聴診器では、チェストピースに入った音を、チューブから耳管に導入して、イヤーピースから聴くものがあり、また、増幅器内蔵の聴診器も実用に供されている。
【発明の概要】
【発明が解決しようとする課題】
【０００３】  ところが、前記の聴診器の場合、心音のみとか、呼吸音のみとか云う選択が簡単にできなかった。
また、衣服の上から聴くということも、どうしても、音量が小さくて性能上良くなかった。
また、増幅器内蔵の聴診器では、その点は改良されてはいるが、そのために形状は大きくなり、重量も重くなって、検診者の負担は決して軽くはなく、それが普及を妨げていた。
本発明は、それらの問題点を解決するためになされたものである。
【課題を解決するための手段】
【０００４】  前記の課題を解決するための手段として、マイク内蔵チェストピース（１）に、直接操作部ケース（２）を取り付ける。
それには電源スイッチ（３）、その他のスイッチ群も内蔵させて、小型軽量化し、その出力はコード内蔵チューブ（８）からイヤホン（１０）に達し、これを駆動する構造になっていて、イヤホン（１０）の出力は、Ｙチューブ（１１）から耳管（１２）、そして、イヤーピース（１３）に出力される。
その操作部への電力は、電池ケース（９）に付設のコード内蔵チューブ（８）から供給される。
さらに、アダプター用Ｙチューブ（１４）を使用して、イヤホン（１０）の出力を、検診者以外にも聴き取れるようにして、教育的、また、被検診者との同時聴取も可能としたものである。
本発明は、以上を特徴とする聴診器である。
【発明の効果】
【０００５】  本発明は、以上のような構成になっていて、消費電力も小さいために、軽少の二次電池で十分で、検診者に負担を掛けない効果がある。
請求項１の電源スイッチ（３）は、プッシュ・オンのスイッチなので、操作部ケース（２）を指で持ち、１指をこの電源スイッチ（３）のツマミに当てるだけで良く、切り忘れを防ぐ効果があり、また、従来の機械的な聴診器では出来なかった、心音のみとか、呼吸音のみと云う切り替えを、スイッチ群、スイッチＡ（４）、スイッチＢ（５）、スイッチＣ（６）、スイッチＤ（７）の操作のみで容易に出来る効果がある。
また、請求項２のアダプター用Ｙチューブ（１４）に取り替えて、それに耳管付きＹチューブ（１５）を接続すると、検診者以外と同時聴取できるので、教育的、また披検診者との対話が綿密に出来る効果がある。
【図面の簡単な説明】
【０００６】
【図１】  本発明の基本的装置の斜視図である。
【図２】  同時聴取のためのアダプター用Ｙチューブの説明図である。
【図３】  耳管付きＹチューブの説明図である。
【図４】  図２の同時聴取のための説明図である。
【図５】  図１の電気回路のブロック図である。
【発明を実施するための形態】
【０００７】  以下、本発明の実施するための形態について説明する。
マイク内蔵チェストピース（１）に直接取り付けている操作部ケース（２）には、電源スイッチ（３）、スイッチ群、スイッチＡ（４）、スイッチＢ（５）、スイッチＣ（６）、スイッチＤ（７）が内蔵されている。
この操作部ケース（２）には、コード内蔵チューブ（８）から電池ケース（９）、イヤホン（１０）を設ける。
また、このイヤホン（１０）には、Ｙチューブ（１１）、耳管（１２）が付設され、先端にはイヤーピース（１３）を装着する。
本発明は、以上のような構成で、これを使用するときは、イヤーピース（１３）を耳に挿入し、指で操作部ケース（２）を持ち、１指で電源スイッチ（３）を押し、マイク内蔵チェストピース（１）を検体に当てれば、体内音を聴くことができる。
また、スイッチ群、スイッチＡ（４）、スイッチＢ（５）、スイッチＣ（６）、スイッチＤ（７）は、例えば、従来の機械的聴診器のように、幅広い体内音を聴き、疑問点が心音、または、呼吸音にあると感じたら、最初スイッチＡ（４）をオンして、幅広い体内音を聴き、ここで心音に疑問点を感じたら、スイッチＡ（４）をオフにして、スイッチＤ（７）をオンにすれば、心音のみを聴くことができる。
また、呼吸音に疑問点を感じたら、スイッチＢ（５）をオンにすれば、呼吸音が強調されて聴き易くなる。
教育的、また、披検診者と同時聴取するときは、Ｙチューブ（１１）、耳管（１２）を取り外し、イヤホン（１０）にアダプター用Ｙチューブ（１４）を取り付ける。
これに耳管付きＹチューブ（１５）を、それぞれに取り付ければ、図４のようになり、同時聴取が簡単に可能となる。
【符号の説明】
【０００８】  １    マイク内蔵チェストピース
２    操作部ケース
３    電源スイッチ
４    スイッチＡ
５    スイッチＢ
６    スイッチＣ
７    スイッチＤ
８    コード内蔵チューブ
９    電池ケース
１０  イヤホン
１１  Ｙチューブ
１２  耳管
１３  イヤーピース
１４  アダプター用Ｙチューブ
１５  耳管付きＹチューブ
【図１】
2012115626.tif 000003
【図２】
2012115626.tif 000004
【図３】
2012115626.tif 000005
【図４】
2012115626.tif 000006
【図５】
2012115626.tif 000007